(57)【要約】【課題】ナプキンの長手方向の中心線上に後方又は／及び前方端部に着用者の身体の曲面に沿って挿入される立体構造を形成する摺紙部を設けることで、着用者の健康に影響することなく、着こなしを改善でき、昼間の活動時及び就寝時に月経血が前又は後方へ洩れ出るのを防止できる立体ナプキン及びその製造方法を提供する。【解決手段】本発明は、吸収層と、前記吸収層を覆うカバーからなるナプキンにおいて、前記ナプキンの後方中央部に後方端部に向かうほど上方に傾斜する三角形状の第１、２摺紙面を備える後方摺紙部が形成され、前記後方摺紙部は着用のために広げた際に前記第１、２摺紙面がその共通斜辺を中心として広がりながら三角錐状に内向き突出して身体の曲面に沿って立体的に挿入されることで密着して着用される。【選択図】図１
2009511161.tif 000002
【特許請求の範囲】
【請求項１】
吸収層と、前記吸収層を覆うカバーからなるナプキンにおいて、
前記ナプキンの後方中央部に後方端部に向かうほど上方に傾斜する三角形状の第１、２摺紙面を備える後方摺紙部が形成され、前記後方摺紙部は着用のために広げた際に前記第１、２摺紙面がその共通斜辺を中心として広がりながら三角錐状に内向き突出して身体の曲面に沿って立体的に挿入されることで密着して着用されることを特徴とする立体ナプキン。
【請求項２】
前記後方摺紙部の第１、２摺紙面は、ナプキンの後方端部から一定の長さだけ突出して延在形成されることを特徴とする請求項１に記載の立体ナプキン。
【請求項３】
前記第１摺紙面と第２摺紙面の共通斜辺は、着用時に対向する身体の曲線に沿って上方にラウンド処理されることを特徴とする請求項１又は２に記載の立体ナプキン。
【請求項４】
前記後方摺紙部はナプキンを前方部、中間部、後方部の３段に折り畳んだとき、前記後方部の開始地点からナプキンの後方端部にかけて形成されることを特徴とする請求項３に記載の立体ナプキン。
【請求項５】
前記ナプキンの前方中央部に前方端部に向かうほど上方に傾斜する三角形状の第３、４摺紙面を備える前方摺紙部が更に形成され、前記前方摺紙部は着用のために広げた際に前記第３、４摺紙面がその共通斜辺を中心として広がりながら三角錐状に内向き突出して身体の曲面に沿って挿入されることで立体的に密着して着用されることを特徴とする請求項１又は２に記載の立体ナプキン。
【請求項６】
前記第１摺紙面と第２摺紙面の共通斜辺及び前記第３摺紙面と第４摺紙面の共通斜辺は、着用時に対向する身体の曲線に沿って上方にラウンド処理されることを特徴とする請求項５に記載の立体ナプキン。
【請求項７】
吸収層とカバーからなる生地を前方及び後方部の幅が一定の通常のナプキン形状に裁断する段階と、
前記裁断されたナプキン形状からなり、前方又は／及び後方中央部に端部に向かうほど上方に傾斜する三角錐状の立体構造が設けられているモールド上に前記裁断した生地を位置させる段階と、
前記モールドの形状に沿って前記裁断した生地の前方又は／及び後方部位を、中心部から左右の両側端に向かう方向に力を加えて拡張させることで、前記生地の前方又は／及び後方中心部に扇形状の余裕分を設ける段階と、
生地からモールドを除去する段階と、
生地に形成された前記扇形状の余裕分を左右両方向から中心部方向に力を加えて上方に突出させながら圧着させて中心部にエッジを形成し、その状態で突出した前記余裕分部位をエッジを基準に左側と右側の水平面に対して押すことにより、ナプキンの前方又は／及び後方部位に端部に向かうほど上方に傾斜する三角形状の第１、２摺紙面を形成する段階と
を含むことを特徴とする立体ナプキンの製造方法。
【請求項８】
前記生地を裁断する段階は、生地を前方及び後方部の幅が一定のナプキン形状に裁断し、通常長さのナプキンより後方部が長手方向に延びた形状に裁断し、
前記第１、２摺紙面を形成する段階は、前記長手方向に延びた後方部を、通常長さのナプキンでその後方端部の中央部から半楕円形の突出部が延在形成されるように裁断し、前記突出部は生地の前記扇形状の余裕分に形成されるように裁断する段階を更に含むことを特徴とする請求項７に記載の立体ナプキンの製造方法。
【請求項９】
吸収層とカバーからなる生地上に、通常のナプキンより前方又は／及び後方部位が端部に向かうほど横方向に拡張した形状に製作された型を位置させる段階と、
前記型に沿って生地を裁断することで、ナプキンの前方及び後方部が一定の幅で形成される通常のナプキンと比較してナプキンの前方又は／及び後方部に扇形状の余裕分が設けられるように生地を裁断する段階と、
前記裁断された生地に設けられている扇形状の余裕分を左右両方向から中心部方向に力を加えて上方に突出させながら圧着させて中心部にエッジを形成し、その状態で突出した前記余裕分部位をエッジを基準に左側と右側の水平面に対して押すことにより、ナプキンの前方又は／及び後方部位に端部に向かうほど上方に傾斜する三角形状の第１、２摺紙面を形成する段階と、
前記第１、２摺紙面からなる前方又は／及び後方摺紙部に隣接した皺の発生部分を平坦に伸ばす段階と
を含むことを特徴とする立体ナプキンの製造方法。
【請求項１０】
吸収層とカバーからなる生地上に、通常のナプキンより前方又は／及び後方部位が端部に向かうほど横方向に拡張し、ナプキンの後方端部の中央部から半楕円形の突出部が延在形成された形状に製作された型を位置させる段階と、
前記型に沿って生地を裁断することで、ナプキンの前方及び後方部が一定の幅からなる通常のナプキンと比較してナプキンの前方又は／及び後方部に扇形状の余裕分とナプキン後方端部の中央部から半楕円形に延びた突出部が設けられるように生地を裁断する段階と、
前記裁断された生地に設けられている扇形状の余裕分と突出部を左右両方向から中心部方向に力を加えて上方に突出させながら圧着させて中心部にエッジを形成し、その状態で前記エッジを基準に左側と右側の水平面に対して押すことにより、ナプキンの前方又は／及び後方部位に端部に向かうほど上方に傾斜する三角形状の第１、２摺紙面を形成する段階と、
前記第１、２摺紙面からなる前方又は／及び後方摺紙部に隣接した皺の発生部分を平坦に伸ばす段階と
を含むことを特徴とする立体ナプキンの製造方法。
【請求項１１】
前記第１、２摺紙面を形成する段階は、中心部に形成されたエッジをナプキンの着用時に対向する身体の曲線に沿って上方にラウンド処理する過程を更に含むことを特徴とする請求項７〜１０のいずれか一項に記載の立体ナプキンの製造方法。
【発明の詳細な説明】
【技術分野】
【０００１】
本発明は、立体ナプキン及びその製造方法に関し、特にナプキンの長手方向の中心線上にその後方又は／及び前方端部に向けて一定長さの立体構造を形成する摺紙部を設けることで、昼間の活動時及び就寝時に月経血が洩れ出るのを防止することができ、着用者の着こなしを改善できる立体ナプキン及びその製造方法に関する。
【背景技術】
【０００２】
通常、女性用ナプキンは月経血のような分泌物を吸収するためのものであって、吸収力や着用感を向上させるための材質面における改善及びユーザの着用時に要求される機能を満足させるために、多様な材質のナプキンが多様なサイズ、厚さ及び形状で開発され市販されている。
【０００３】
しかしながら、このような多様な種類のナプキンが開発されているが、着用者の下着に重ね当てて用いられるという特性のため、着用前と比較して着用後のユーザのボディラインがすっきりと見えないのが現状である。これを解消するために、タンポンなどのような代替品も発売されたが、体内に挿入して着用する形となっていることから、未婚女性の場合には気軽に使い難いという問題があるほか、健康に深刻な悪影響を及ぼすという研究結果のため、使用が敬遠されている状況である。
【０００４】
また、就寝時のように、着用者の臀部が底に向かう場合に、月経血が後方へ洩れ出るのを防止するための用途として、通常のものよりも長さが長く延びた形態の夜用ナプキンが市販されている。このように延びた長さの夜用ナプキンを通じて就寝時の月経血の洩れ防止効果をある程度達成できるのは事実である。しかしながら、前記従来の夜用ナプキンは長くなったサイズによる違和感のある着用感のため、昼間の活動時と区分して着用せざるを得ないという問題があった。
【０００５】
更に、椅子に長時間座って仕事をする事務職女性や学生の場合、昼間の活動時でもその姿勢により月経血が後方へ洩れ出ることがあり、これを意識していれば、ともすると硬直した姿勢で長時間を過ごすことになり、仕事及び学習による疲れを増幅させるおそれがあるという問題があった。
【０００６】
そのため、女性着用者の健康及びボディラインを崩すことなく、昼間の活動時及び就寝時に月経血が前又は後方へ洩れ出るのを防止できる女性用ナプキンの開発が求められてきた。
【特許文献１】実開Ｈ０６−０７７７２４
【発明の開示】
【発明が解決しようとする課題】
【０００７】
そこで、本発明は上記事情に鑑みてなされたものであって、その目的は、ナプキンの長手方向の中心線上に後方又は／及び前方端部に着用者の身体の曲面に沿って挿入される立体構造を形成する摺紙部を設けることで、着用者の健康に影響を及ぼすことなく、着こなしを改善でき、昼間の活動時及び就寝時に月経血が前又は後方へ洩れ出るのを防止できる立体ナプキン及びその製造方法を提供することにある。
【課題を解決するための手段】
【０００８】
前記目的を達成するために、本発明に係る立体ナプキンは、吸収層と、前記吸収層を覆うカバーからなるナプキンにおいて、前記ナプキンの後方中央部に後方端部に向かうほど上方に傾斜する三角形状の第１、２摺紙面を備える後方摺紙部が形成され、前記後方摺紙部は着用のために広げた際に前記第１、２摺紙面がその共通斜辺を中心として広がりながら三角錐状に内向き突出して身体の曲面に沿って立体的に挿入されることで密着して着用されることを特徴とする。
【０００９】
また本発明は、前記後方摺紙部の第１、２摺紙面は、ナプキンの後方端部から一定の長さだけ突出して延在形成されることを特徴とする立体ナプキンを提供する。
【００１０】
また本発明は、前記第１摺紙面と第２摺紙面の共通斜辺は、着用時に対向する身体の曲線に沿って上方にラウンド処理されることを特徴とする立体ナプキンを提供する。
【００１１】
また本発明は、前記後方摺紙部はナプキンを前方部、中間部、後方部の３段に折り畳んだとき、前記後方部の開始地点からナプキンの後方端部にかけて形成されることを特徴とするナプキンを提供する。
【００１２】
また、前記ナプキンの前方中央部に前方端部に向かうほど上方に傾斜する三角形状の第３、４摺紙面を備える前方摺紙部が更に形成され、前記前方摺紙部は着用のために広げた際に前記第３、４摺紙面がその共通斜辺を中心として広がりながら三角錐状に内向き突出して身体の曲面に沿って挿入されることで立体的に密着して着用されることを特徴とする。
【００１３】
また本発明は、前記第１摺紙面と第２摺紙面の共通斜辺及び前記第３摺紙面と第４摺紙面の共通斜辺は、着用時に対向する身体の曲線に沿って上方にラウンド処理されることを特徴とする立体ナプキンを提供する。
【００１４】
そして、本発明に係る立体ナプキンの製造方法は、吸収層とカバーからなる生地を前方及び後方部の幅が一定の通常のナプキン形状に裁断する段階と、前記裁断されたナプキン形状からなり、前方又は／及び後方中央部に端部に向かうほど上方に傾斜する三角錐状の立体構造が設けられているモールド上に前記裁断した生地を位置させる段階と、前記モールドの形状に沿って前記裁断した生地の前方又は／及び後方部位を、中心部から左右の両側端に向かう方向に力を加えて拡張させることで、前記生地の前方又は／及び後方中心部に扇形状の余裕分を設ける段階と、生地からモールドを除去する段階と、生地に形成された前記扇形状の余裕分を左右両方向から中心部方向に力を加えて上方に突出させながら圧着させて中心部にエッジを形成し、その状態で突出した前記余裕分部位をエッジを基準に左側と右側の水平面に対して押すことにより、ナプキンの前方又は／及び後方部位に端部に向かうほど上方に傾斜する三角形状の第１、２摺紙面を形成する段階とを含むことを特徴とする。
【００１５】
また本発明は、前記生地を裁断する段階は、生地を前方及び後方部の幅が一定のナプキン形状に裁断し、通常長さのナプキンより後方部が長手方向に延びた形状に裁断し、前記第１、２摺紙面を形成する段階は、前記長手方向に延びた後方部を、通常長さのナプキンでその後方端部の中央部から半楕円形の突出部が延在形成されるように裁断し、前記突出部は生地の前記扇形状の余裕分に形成されるように裁断する段階を更に含むことを特徴とする立体ナプキンの製造方法を提供する。
【００１６】
また、前記目的を達成するために、本発明に係る立体ナプキンの製造方法は、 吸収層とカバーからなる生地上に、通常のナプキンより前方又は／及び後方部位が端部に向かうほど横方向に拡張した形状に製作された型を位置させる段階と、前記型に沿って生地を裁断することで、ナプキンの前方及び後方部が一定の幅で形成される通常のナプキンと比較してナプキンの前方又は／及び後方部に扇形状の余裕分が設けられるように生地を裁断する段階と、前記裁断された生地に設けられている扇形状の余裕分を左右両方向から中心部方向に力を加えて上方に突出させながら圧着させて中心部にエッジを形成し、その状態で突出した前記余裕分部位をエッジを基準に左側と右側の水平面に対して押すことにより、ナプキンの前方又は／及び後方部位に端部に向かうほど上方に傾斜する三角形状の第１、２摺紙面を形成する段階と、前記第１、２摺紙面からなる前方又は／及び後方摺紙部に隣接した皺の発生部分を平坦に伸ばす段階とを含むことを特徴とする。
【００１７】
更に、前記目的を達成するために、本発明に係る立体ナプキンの製造方法は、吸収層とカバーからなる生地上に、通常のナプキンより前方又は／及び後方部位が端部に向かうほど横方向に拡張し、ナプキンの後方端部の中央部から半楕円形の突出部が延在形成された形状に製作された型を位置させる段階と、前記型に沿って生地を裁断することで、ナプキンの前方及び後方部が一定の幅からなる通常のナプキンと比較してナプキンの前方又は／及び後方部に扇形状の余裕分とナプキン後方端部の中央部から半楕円形に延びた突出部が設けられるように生地を裁断する段階と、前記裁断された生地に設けられている扇形状の余裕分と突出部を左右両方向から中心部方向に力を加えて上方に突出させながら圧着させて中心部にエッジを形成し、その状態で前記エッジを基準に左側と右側の水平面に対して押すことにより、ナプキンの前方又は／及び後方部位に端部に向かうほど上方に傾斜する三角形状の第１、２摺紙面を形成する段階と、前記第１、２摺紙面からなる前方又は／及び後方摺紙部に隣接した皺の発生部分を平坦に伸ばす段階とを含むことを特徴とする。
【００１８】
また本発明は、前記第１、２摺紙面を形成する段階は、中心部に形成されたエッジをナプキンの着用時に対向する身体の曲線に沿って上方にラウンド処理する過程を更に含むことを特徴とする立体ナプキンの製造方法を提供する。
【発明の効果】
【００１９】
本発明の立体ナプキンによれば、前方又は／及び後方摺紙部が形成する立体構造によって、ナプキンが着用者の身体の対応屈曲面、即ち、股座に沿って自然に挿入されて密着するので、昼間の活動時及び就寝時に着用者の姿勢に関係なく、股座に沿って流れる月経血の洩れ防止作用において優れた作用効果を達成できるという効果を奏する。また、左・右臀部の間の谷に該当する屈曲が自然に表出されるので、着用者の健康に影響を及ぼさずに、生理中でない時と同様にすっきりとしたボディラインに見せることができ、三角錐状の立体構造が股座に挿入されて股座とナプキンが自然に噛み合う構造となるので、ナプキンの固定効果まで得ることができる。
【００２０】
本発明の立体ナプキンの製造方法によれば、ナプキンの前方又は／及び後方中心部に股座の屈曲に沿って挿入密着される立体構造を形成する摺紙部を容易に製造できるという利点がある。
【発明を実施するための最良の形態】
【００２１】
以下、添付の図面を参照しつつ、本発明の実施形態についてより具体的に説明する。
【００２２】
図１は、本発明の第１実施形態に係る立体ナプキンを示す。
図１（ａ）に示すように、本発明の第１実施形態に係る立体ナプキンは、吸収層とカバーからなる一般的な形態のナプキン２０において、ナプキンの後方Ｒ中央部に後方摺紙部１００が形成されている構造からなる。また、具体的に前記後方摺紙部１００は、ナプキンの後方端部に向かうほど上方に傾斜する三角形状の第１、２摺紙面１０１、１０２を備える。
【００２３】
このとき、前記第１、２摺紙面は、図１（ｃ）に示すように、着用のために広げたとき、第１摺紙面１０１と第２摺紙面１０２の境界面に該当する共通斜辺１０３を中心として左・右側に広がりながら三角錐状にナプキンの内側に突出して股座（股間）の後方部に沿って挿入されることで、身体に立体的に密着するように構成される。ここで、股座とは、特に左右臀部の筋肉の間の凹んだ谷部分を指す用語として用いた。
【００２４】
一方、前記第１実施形態において、第１摺紙面１０１と第２摺紙面１０２の共通斜辺１０３は、ユーザの股座に更に密着せしめるために、上方に緩やかにラウンド処理されることができる。このように、三角形状の第１、２摺紙面１０１、１０２の共通斜辺１０３がラウンド処理された場合の例を図１（ｂ）に示す。
【００２５】
前述した第１実施形態において、後方摺紙部１００及び後方摺紙部１００を構成する三角形状の第１、２摺紙面１０１、１０２の共通斜辺１０３は、着用者の体型別に多様な長さ及び多様な傾斜度と屈曲度を有するように製作され得る。
【００２６】
例えば、前記後方摺紙部１００は、ナプキンを長手方向に前方部、中間部、後方部の３段に折り畳んだとき、後方部の開始地点から後方端部にかけて形成される構造で形成され得る。また、前記後方摺紙部１００をナプキンの中間部の中央から後方端部にかけて形成される構造で構成することも可能である。
【００２７】
図２は、本発明の第２実施形態に係る立体ナプキンの構成を示す。
図２（ａ）に示すように、本発明の第２実施形態に係る立体ナプキンは、前記第１実施形態に係る立体ナプキンの構成において後方摺紙部２００の第１、２摺紙面２０１、２０２がナプキンの後方端部から一定の長さだけ突出して延在形成されている構成からなる。
【００２８】
このように、ナプキンの後方側に延びて突出形成された第１、２摺紙面２０１、２０２は、図２（ｃ）に示すように、着用のために広げたとき、第１摺紙面２０１と第２摺紙面２０２の境界面に該当する共通斜辺２０３を中心として左・右側に広がりながら三角錐状にナプキンの内側に隆起されて股座の後方部に沿って挿入されることで、身体に立体的に密着すると同時に、その延びた後方部の第１、２摺紙面２０１、２０２が股座の後方部側に更に延びて密着することで、股座に沿って月経血が臀部側に洩れ出るおそれを更に減少させることができるという特徴がある。
【００２９】
前記第２実施形態においても、第１摺紙面２０１と第２摺紙面２０２の共通斜辺２０３は、ユーザの股座の屈曲に沿ってより密着して挿入されるようにするために、上方に緩やかにラウンド処理されることができる。このように、第１、２摺紙面２０１、２０２の共通斜辺２０３がラウンド処理された場合の例を図２（ｂ）に示す。
【００３０】
図３は、本発明の第３実施形態に係る立体ナプキンの構成を示す。
図３（ａ）に示すように、本発明の第３実施形態に係る立体ナプキンは、吸収層とカバーからなる一般的な形態のナプキンにおいて、ナプキン２０の後方Ｒ中央部に後方摺紙部１００が形成された構成に加えて、ナプキン２０の前方Ｆ中央部に前傍摺紙部３００が形成されている構造からなる。第１実施形態と同様に、前記後方摺紙部１００はナプキンの後方端部に向かうほど上方に傾斜する三角形状の第１、２摺紙面１０１、１０２を備える。また、前記前方摺紙部３００は、ナプキンの前方端部に向かうほど上方に傾斜する三角形状の第３、４摺紙面３０１、３０２を備える。
【００３１】
図３（ｃ）に示すように、本発明の第３実施形態に係る立体ナプキンを着用のために広げたとき、後方摺紙部１００の第１、２摺紙面は、第１摺紙面１０１と第２摺紙面１０２の境界面に該当する共通斜辺１０３を中心として左・右側に広がりながら三角錐状にナプキンの内側に突出して股座の後方部に沿って挿入されることで、身体の曲面に沿って立体的に密着するように構成され、前方摺紙部３００の第３、４摺紙面は、第３摺紙面３０１と第４摺紙面３０２の境界面に該当する共通斜辺３０３を中心として左・右側に広がりながら三角錐状にナプキンの内側に突出して股座の前方部に沿って挿入されることで、身体の曲面に沿って立体的に密着するように構成される。
【００３２】
一方、第３実施形態においても、第１摺紙面１０１と第２摺紙面１０２の共通斜辺１０３及び第３摺紙面３０１と第４摺紙面３０２の共通斜辺３０３は、ユーザの股座の屈曲に沿って更に密着する構造で形成するために、上方に緩やかにラウンド処理されることができる。第１、２摺紙面１０１、１０２の共通斜辺１０３と、第３、４摺紙面３０１、３０２の共通斜辺３０３がラウンド処理された場合の実施形態を図３（ｂ）に示す。
【００３３】
また、前記第３実施形態において、前・後方摺紙部３００、１００及び前記前・後方摺紙部３００、１００を構成する三角形状の第３、４摺紙面３０１、３０２と第１、２摺紙面１０１、１０２の共通斜辺３０３、１０３は、着用者の体型別に多様な長さ及び多様な傾斜角度と屈曲度を有してもよいことはもちろんである。更に、後方摺紙部１００の第１、２摺紙面１０１、１０２を前記第２実施形態と同様に、ナプキンの後方端部から一定の長さだけ突出させて延在形成することも可能であり、必要に応じては、前方摺紙部３００の第３、４摺紙面３０１、３０２をナプキンの前方端部から一定の長さだけ突出させて延在形成することも可能である。
【００３４】
図４には、本発明の第１実施形態に係る立体ナプキンの側面図（図４（ａ））及び着用状態の背面図（図４（ｂ））を示す。図４を参照して本発明に係る立体ナプキンの作用効果について説明する。
【００３５】
図示のように、本発明の立体ナプキンの着用時に後方摺紙部１００は、ユーザの股座に向けて（＋ｚ軸方向）挿入される三角錐の立体構造を形成して股座の長さ方向（±ｙ軸方向）に沿って挿入密着することで、股座に沿って流れる月経血が前記後方摺紙部の第１、２摺紙面１０１、１０２に直ぐ吸収されて月経血の微細な洩れまで防止できるようになる。
【００３６】
また、本発明の後方摺紙部１００は、後述する製造方法に関する第１〜４実施形態と同様の方法で製造されるため、着用時に三角錐状に内向きに隆起されて股座の後方部の曲面構造に沿って皺が生じないように自然に挿入されて密着する構造となる。即ち、後方摺紙部が形成する立体構造は、身体の曲面の形状に対応して隆起される構造であって、着用時に内側ナプキン面の前記隆起された構造は股座の後方部に自然に挿入されて密着するため、外側のナプキン面を通じて身体の屈曲が自然に表出され得る。従って、着用者がズボンなどを履いたときに違和感がなく、生理中でない時と同様にすっきりとしたボディラインに見せることができる。また、後傍摺紙部のなす三角錐状の立体構造は股座に挿入されることで、股座と自然に噛み合う構造となるので、ナプキンの固定機能も共に行う。
【００３７】
以上、第１実施形態の構成に係る作用効果を説明したが、第２実施形態及び第３実施形態に係る立体ナプキンの構成によっても着用者の着こなしの改善と、前・後方の股座に沿って流れる月経血の洩れ防止及びナプキンの固定効果が得られることは自明であるので、具体的な説明は省略する。
【００３８】
特に、第２実施形態で説明したように、ナプキンの後方部に臀部側へ延びて密着し得る後方摺紙部を具備させた場合、着こなしには影響を及ぼさずに、股座に沿って臀部側に月経血が洩れ出るおそれをより一層減少させることができる。また、第１〜第３実施形態において、着用者の身体の屈曲した谷部分に挿入される部位に該当する共通斜辺１０３、２０３、３０３の構造がラウンド処理される場合には、身体の曲面により密接、かつ、適合するように挿入されることができ、着用したとき、ナプキンの外側の側面からも挿入されて密着した斜辺部分１０３、２０３、３０３のラウンドした陰刻形状が現れるので、ズボンなどの衣類を着たとき、ナプキンが衣類の形状（曲線）により圧迫されて身体に作用し得る圧迫感などを軽減させることができ、衣類に似た曲線を形成してボディラインを更によく見せるという作用効果が得られる。
【００３９】
図５〜図８は、本発明に係る立体ナプキンの製造過程を例示的に示す図である。前記図は、後方摺紙部を形成する過程と関連するものであるが、これと同様の方法が前方摺紙部にも適用され得るので、以下では前方摺紙部が追加された場合においても前記図を参照して説明する。
【００４０】
本発明に係る立体ナプキンの製造方法は、ナプキンの前方又は／及び後方に摺紙部を形成し得る余裕分が備えられた生地を用意する過程と、前記余裕分で摺紙部を形成する過程とに大別される。
【００４１】
まず、本発明の立体ナプキンの製造方法に関する第１実施形態では、ナプキンの前方又は／及び後方中央部に摺紙部を形成し得る余裕分が備えられた生地を加工するために、通常のナプキン形状からなり、前方又は／及び後方中央部に端部に向かうほど上方に傾斜する三角錐状の立体構造が設けられているモールドを用いる。
【００４２】
即ち、立体ナプキンの製造方法に関する第１実施形態によれば、まず吸収層とカバーからなる生地をナプキンの前方及び後方部が一定の幅からなる通常のナプキン形状２０に裁断した後（図５（ａ））、前方又は／及び後方中央部に端部に向かうほど上方に傾斜する三角錐状の立体構造が備えられた前記モールド上に前記裁断された生地を位置させる。
【００４３】
次に、前記モールドの形状に沿って生地の前方又は／及び後方部を中心部から左右の両側端に向けて力を加えて拡張させる方式によって、生地の前方又は／及び後方に扇形状の余裕分１０５を形成する（図５（ｂ））。即ち、プレスなど機械を用いてモールド上の三角錐状の立体構造に沿って生地の前方又は／及び後方中央部を拡張させることで、生地の前方又は／及び後方に立体摺紙部を形成する扇形状の余裕分１０５を形成する。このとき、三角錐状の立体構造が形成されたモールド上に前記モールドと同じ形状の陰刻モールドを圧力を加えて押す方式によって生地の前方又は／及び後方に扇形状の余裕分を設けることも可能である。
【００４４】
その後、生地からモールドを除去した後、前記扇形状の余裕分１０５を左右両方向からナプキンの前方又は／及び後方の中心部方向に力を加えて上方に隆起させながら圧着させて中央にエッジ１０３を形成する（図５（ｃ））。この状態で突出した前記余裕分部位１０５をエッジ１０３を基準に左側と右側のナプキン平面に対して押すことにより、ナプキンの前方又は／及び後方部位に端部に向かうほど上方に傾斜する三角形状の第１、２摺紙面１０１、１０２を形成することで（図５（ｄ））、立体ナプキンの前方又は／及び後方摺紙部を形成する。
【００４５】
前述した第１実施形態の場合、三角錐の母線部分がナプキンの着用時に対向する身体の曲線に沿って上方に緩やかにラウンドされた形状のモールドを用いてナプキンの前方又は／及び後方摺紙部を形成すれば、後述するラウンド処理過程を別途に行う必要がなくなる。
【００４６】
また、図６に示す第２実施形態と同様に、ナプキンの前方又は／及び後方中央部に摺紙部を形成し得る余裕分を設けるために、通常のナプキンより前方又は／及び後方部位が端部に向かうほど広くなる形状の紙型のような型（ｐａｔｔｅｒｎ）などを用いることも可能である。
【００４７】
即ち、図６に示すように、第２実施形態では吸収層とカバーからなる生地上に型を位置させ、前記型に沿って生地を裁断することで、ナプキンの前方及び後方部が一定の幅からなる通常のナプキンと比較するとき、ナプキンの前方又は／及び後方部に扇形状の余裕分１０５が設けられるようにする（図６（ａ））。その他、裁断された生地に設けられている扇形状の余裕分を左右両方向から中心部方向に力を加えて上方に突出させながら圧着させて中心部にエッジを形成し（図６（ｂ））、その状態で突出した前記余裕分部位をエッジを基準に左側と右側の水平面に対して押すことにより、ナプキンの前方又は／及び後方部位に端部に向かうほど傾斜する三角形状の第１、２摺紙面を形成（図６（ｃ））する過程は、第１実施形態と同様である。
【００４８】
但し、前記第２実施形態では前記第１、２摺紙面からなる前方又は／及び後方摺紙部を形成する工程を経た後、前記前方又は／及び後方摺紙部の開始地点を基準に左側と右側の扇形状領域にかけてＢ方向に力を加えて拡張させることで、前記前方又は／及び後方摺紙部に隣接した皺の発生部分Ａを平坦に伸ばす段階（図６（ｄ）、図６（ｅ））を更に備える。このような工程を通じて、前方又は／及び後方摺紙部を三角錐状に内向きに突出させたとき、前方又は／及び後方摺紙部の開始地点部分が身体の曲線に沿って密着せずに皺が生じるのを防止できるようになる。
【００４９】
また、前記第１、２実施形態において、第１、２摺紙面を形成する段階では前方又は／及び後方中心部に形成されたエッジ１０３をナプキンの着用時に対向する身体の曲線に沿って上方にラウンド処理する過程が更に備えられ得る。
【００５０】
一方、ナプキンの後方摺紙部が延びて突出形成された本発明の立体ナプキンの製造方法に関する第３、４実施形態を図７及び図８にそれぞれ示す。即ち、立体ナプキンの製造方法に関する第３実施形態は第１実施形態と同様に、モールドを用いてナプキンの前方又は／及び後方中央部に摺紙部を形成する工程を備え、第４実施形態は第２実施形態と同様に、型を用いて摺紙部を形成する工程を備える。
【００５１】
図７に示すように、本発明の立体ナプキンの製造方法に関する第３実施形態は、生地の裁断段階で通常長さのナプキンより後方部が長手方向に延びた形状３０となるように裁断する（図７（ａ））。その他、モールド上に裁断した生地を位置させ、モールドの形状に沿って裁断した生地の前方又は／及び後方部位を中心部から左右の両側端に向かう方向に力を加えて拡張させることで、生地の前方又は／及び後方中心部に扇形状の余裕分２０５を形成する段階（図７（ｂ））及び生地からモールドを除去する段階は第１実施形態と同様である。
【００５２】
但し、前記第３実施形態では、裁断された生地が通常長さのナプキンより後方部が長手方向へ延びた形状となっているため、モールドも前記裁断されたナプキンの形状に対応する形状となっており、前方又は／後方中央部に端部に向かうほど上方に傾斜する三角錐状の立体構造を備え、延びた後方部の長さだけその後方部の立体構造も延びて形成された構造からなる。これにより、生地の後方中心部に形成された扇形状の余裕分も延びた後方部の長さに比例して後方部が延びた形状２０５となる。
【００５３】
次の段階として、ナプキンの前方又は／及び後方部に第１、２摺紙面を形成する段階では、ナプキン後方部の延びた部分を用いてナプキンを通常長さのナプキンでその後方端部の中央部から半楕円形の突出部２０６が延在形成された形状となるように裁断する段階を更に備える。このとき、前記半楕円形の突出部２０６は生地の扇形状の余裕分２０５に位置する（図７（ｃ））。その他、扇形状の余裕分２０５と突出部２０６の中心部にエッジ２０３を形成し（図７（ｄ））、前記エッジを基準に左側と右側の水平面に対して押すことにより、三角形状の第１、２摺紙面２０１、２０２を形成する過程（図７（ｅ））は、第１実施形態と同様である。
【００５４】
前記実施形態では扇形状の余裕分で楕円形突出部２０６を裁断した後、その中心部にエッジ２０３を形成し、第１、２摺紙面２０１、２０２を形成する順に工程を記述したが、選択的に前記楕円形突出部の裁断過程を第１、２摺紙面２０１、２０２の形成後に行われるようにすることも可能である。
【００５５】
一方、図８に示すように、本発明の立体ナプキンの製造方法に関する第４実施形態は、型（ｐａｔｔｅｒｎ）を用いて扇形状の余裕分を設ける方式を採用し、前記型は通常のナプキンより前方又は／及び後方部位が端部に向かうほど横方向に拡張し、ナプキンの後方端部の中央部から半楕円形の突出部が延在形成された形状からなる。
【００５６】
前記型に沿って生地を裁断することで、ナプキン３０の前方又は／及び後方部に扇形状の余裕分２０５と、ナプキン後方端部の中央部から半楕円形に延びた突出部２０６を形成する（図８（ａ））。その他、扇形状の余裕分２０５と突出部２０６の中心部にエッジ２０３を形成し（図８（ｂ））、前記エッジを基準に左側と右側の水平面に対して押すことにより、三角形状の第１、２摺紙面２０１、２０２を形成する過程（図８（ｃ））及び前記第１、２摺紙面２０１、２０２からなる前方又は／及び後方摺紙部の開始地点を基準に左側と右側の扇形状領域にかけてＢ方向に力を加えて拡張させることで、前記前方又は／及び後方摺紙部に隣接した皺の発生部分Ａの皺を除去する段階（図８（ｄ）、図８（ｅ））は、第２実施形態と同様である。
【００５７】
前記第３、４実施形態でのような立体ナプキンの製造方法を通じて、ナプキンの後方部に着用者の臀部側に延びて密着し得る立体構造を設けることで、着こなしには影響を及ぼさずに、ユーザの後方の股座に沿って臀部側に月経血が洩れ出るおそれをより一層減少させることができる。
【００５８】
前述した立体ナプキンの製造方法に関する第１〜４実施形態では、立体ナプキンの前方又は／及び後方中央部に摺紙部を形成するために、モールドや紙型などを用いる方式を採用しているが、ナプキンの前方又は／及び後方に摺紙部のための余裕分を形成できる構成であれば、前記方式に限定されない。
【００５９】
このように、ナプキンの前方又は／及び後方部に余裕分を設ける過程は、通常、余裕分が形成される部位が綿又は綿混紡などのように形態の変形が可能な生地からなる場合に適用され得る。しかしながら、前記材質に限定されず、ナプキンの前方又は／及び後方部に余裕分を設け、これを用いて摺紙部を形成できる生地であれば、特に制約なしに適用され得る。また、本発明では、前記余裕分で立体構造を形成する摺紙部を構成しているため、立体ナプキンの摺紙部の形成部位に皺が生じることなく、全体的に平らな形状に製作され得、着用時にも身体の対向面に凹凸のない全体的に緩やかな曲線形を形成できるようになる。
【００６０】
なお、本発明は、上記実施の形態に限定されるものではなく、本発明に係る技術的思想の範囲から逸脱しない範囲内で様々な変更が可能であり、それらも本発明の技術的範囲に属する。
【図面の簡単な説明】
【００６１】
【図１】(a)及び(b)は本発明の第１実施形態に係る立体ナプキンを示す図、(c)は前記第１実施形態に係る立体ナプキンの摺紙部が着用時に隆起される時の構造を示す図である。
【図２】(a)及び(b)は本発明の第２実施形態に係る立体ナプキンを示す図、(c)は前記第２実施形態に係る立体ナプキンの摺紙部が着用時に隆起される時の構造を示す図である。
【図３】(a)及び(b)は本発明の第３実施形態に係る立体ナプキンを示す図、(c)は前記第３実施形態に係る立体ナプキンの摺紙部が着用時に隆起される時の構造を示す図である。
【図４】(a)は本発明の第１実施形態に係る立体ナプキンの側面図、(b)は前記第１実施形態に係る立体ナプキンの着用状態の背面図である。
【図５】(a) ないし(d)は本発明の第１実施形態に係る立体ナプキンの製造過程を概略的に示す図である。
【図６】(a) ないし(d)は本発明の第２実施形態に係る立体ナプキンの製造過程を示す図である。
【図７】(a) ないし(e)は本発明の第３実施形態に係る立体ナプキンの製造過程を示す図である。
【図８】(a) ないし(e)は本発明の第４実施形態に係る立体ナプキンの製造過程を示す図である。
【図１】
2009511161.tif 000003
【図２】
2009511161.tif 000004
【図３】
2009511161.tif 000005
【図４】
2009511161.tif 000006
【図５】
2009511161.tif 000007
【図６】
2009511161.tif 000008
【図７】
2009511161.tif 000009
【図８】
2009511161.tif 000010
【国際調査報告】
2009511161.tif 000011
2009511161.tif 000012
2009511161.tif 000013